(57)【特許請求の範囲】
【請求項１】
オーディオ機器に用いるトロイダルトランス用ケースにおいて、異なるプラスチック材料により内側ケースと外側ケースとを形成し、前記内側ケース内にトロイダルトランス本体をプラスチック充填材により密封密着せしめるようにし、前記内側ケースと前記外側ケースとを嵌合一体化せしめることを特徴とするトロイダルトランス用ケース。
【発明の詳細な説明】
【０００１】
【発明の属する技術分野】
本発明は、トロイダルトランス用ケースに関し、特にオーディオ機器の電源トランスに用いて好適なトロイダルトランス用ケースに関する。
【０００２】
【従来の技術】
トロイダルトランスは、環状鉄芯に太い導線を捲いてなり、低インピーダンスで変換効率がよく、小型で大出力のオーディオ機器用などの電源部として用いられている。
特に、トロイダルトランスをオーディオ機器の電源トランスとして用いる場合には、カバーをして外観上も好ましい状態で、本体シャーシに固定されるようにする要求がある。
【０００３】
公知の特開平１０−５０５３４号に示されたトロイダルトランスは、絶縁層としての環状のトロイダルケース（２）内にトロイダルコア（９）を収容して、トロイダル蓋（７）を装着し、その組み立て体にマグネットワイヤ（１０）を巻回してトランス自体を構成したもので、予め前記トロイダルケース（２）の外周に相互に間隔を置いて取付用脚部（５）を一体形成しておき、かかる脚部（５）をもって、取付けるべき部材側に直接的に取付けるようにしたものである。
この様な公知のトロイダルトランスは、当該文献にも記載されている通り、空調機器のボックス内に取付ける場合などには何ら問題はないが、上記オーディオ機器に使用する場合には、外観上好ましくないという問題がある。
【０００４】
又、公知の特開平１１−３１２６１１号に示されたトロイダルトランスは、コア（２）に、絶縁層としての分割された上、下カバー（３１，３２）からなるコア絶縁カバー（３）を嵌合被覆して一次コイル（４）を巻付け、さらに分割された同様に絶縁層としての上、下カバー（５１，５２）からなるコイル絶縁カバー（５）を、その外部に被覆装設し二次コイル（６）を巻付け、それぞれの各コイル先端部を巻付ピンに巻付き固定させてトランス本体とし、該トランス本体を外方からハウジング（７）の上、下半部（７２，７３）を相互に係合して、一体に結合してカバーとしたものである。
かかるトロイダルトランスは、トランス本体を単にハウジング（７）で外方からカバーしただけのものを示しているに過ぎない。
【０００５】
ところで、オーディオ機器に使用される電源トランスとしては、大出力パワーアンプにあっては大電力容量を有することが重要な要素になることは勿論であるが、一方において、交流入力に伴うコイル振動による具音や、それに伴う本体シャーシへの取付固定などによる共振異音が生じない様にすることも重要であり、特に高級機種のオーディオ機器において、それを使用する音響マニアにとってはクリアサウンドを追求する上において極めて重要な要件となっている。
【０００６】
かかる観点において、上述公知の後者のトロイダルトランスの場合には、トランス本体を単にハウジング（７）で外方からカバーして本体シャーシに取付固定しただけのものを示しているに過ぎず、音響マニア向けの機器に使用するトロイダルトランスとしては好ましくないという問題がある。
【０００７】
一方において、上述各問題点を解消するために、一部を破断して示した図４に示すように、アルミダイキャストのケース４２内にプラスチック充填材４５を介してトロイダルトランス本体４４を固着し、本体シャーシに固定するようにしたものも知られている。
しかるに、この場合のアルミケース４２は、外観上好ましい形態のものとは成し得るが、アルミケース４２と充填材４５との膨張係数が異なるため、使用上ケース４２と充填材４５との間にわずかな間隙が生じてしまうこととなる。
従って、この場合にも生じた該間隙が、上述したコイル振動によるがたつきからの異音を生ずるところとなり、さらには取付け本体シャーシ或いは他の部材との共振異音を生ずることともなり、やはりクリアサウンドを追求するオーディオ機器においては好ましくないという問題があった。
【０００８】
【発明が解決しようとする課題】
本発明は、オーディオ機器に使用される電源トランスとしてのトロイダルトランスにおいて、上述の如き種々の問題点を解消することを課題とし、トランスを原因とする異音の発生を無くし、トランス自体の外観も容易に好ましいものとなし得るようにした、簡単な構成で安価なトロイダルトランス用ケースを提供することを目的とする。
【０００９】
【課題を解決するための手段】
上記目的を達成するために、本発明は、オーディオ機器に用いるトロイダルトランス用ケースにおいて、異なるプラスチック材料により内側ケースと外側ケースとを形成し、前記内側ケース内にトロイダルトランス本体をプラスチック充填材により密封密着せしめるようにし、前記内側ケースと前記外側ケースとを嵌合一体化せしめることを特徴とするトロイダルトランス用ケースである。
【００１０】
又、前記内側ケースは技術的要求を満足する材質のプラスチック材料により形成し、前記外側ケースは外観処理をし易いプラスチック材料により形成したことを特徴とするトロイダルトランス用ケースである。
【００１１】
本発明のトロイダルトランス用ケースは、異なるプラスチック材料により形成した内側ケースと外側ケースとを嵌合係合して一体化せしめるようにしたので、内側ケースにはトロイダルトランス本体を充填材により良好に密封密着可能なように相互に材料選択をすることが出来、外側ケースは好ましい外観処理をなしうる材料を選択使用することが出来る。
【００１２】
【発明の実施の形態】
以下、本発明の実施の形態を図面に基づいて説明する。
図１は本発明の実施の態様の一例を示した分解斜視図、図２は組み立て状態のＩＩ−ＩＩ線断面図である。
【００１３】
図１、図２において、トロイダルトランス１は、外側ケース２と内側ケース３とが嵌合係合し、該内側ケース３内にはトロイダルトランス本体４がその捲線端子４１を外部に突出して、プラスチック充填材５によって密封密着され、一体に形成されている。
【００１４】
トロイダルトランス本体４は、断面ほぼ円形状の環状の鉄芯コアに一次、二次捲線を巻付け端子４ａを形成してなり、耐熱性等に優れた例えばＰＢＴからなる内側ケース３内に、前記ＰＢＴと相性がよく、接着性、絶縁性等に優れた、例えばポリベック（商品名）、エポキシ樹脂の如きプラスチック充填材５を流し込んで、所定の状態に固定する。外側ケース２は耐薬品性等に優れ、成形性、外観塗装性のよい例えばＡＢＳにより形成する。内、外ケース２，３は型抜き程度のテーパが設けられており、相互に嵌合係合する場合には適度の抵抗をもちながら係合され、完全に嵌合した場合には、相互に密着一体化される。
尚、内外ケース嵌合相互間には、必要により接着剤を適用してもよい。
又、内、外各ケース２，３は、必要により強度補強のため内部にガラス繊維を配設してもよい。
【００１５】
更に、この場合、内側ケース３は、内、外壁面とも平面的に形成されているが、外側ケース２の内側ケース３と係合する内壁面は平面的に形成されている一方、外壁側面の一対の面には複数のフィン２ａ、２ａが、並列的に突出形成されている。該フィン２ａは、技術的にはプラスチックケースとして放熱フィンとしての役割はほとんどないが、外観上好ましい形態として形成されているものである。
【００１６】
かくして、トロイダルトランス本体４は内側ケース３に充填材５により密封密着され、即ち、内側ケース３と充填材５との相性により、良好な接着性、熱膨張率の近似性等によって、相互間に間隙が生じることなく、がたつきは発生しない。
又、外側ケース２は、塗装性がよいので外観的に好ましい状態に容易になすことが出来、マーク、模様等の印刷も直接に形成できる。
【００１７】
さらに、内側ケース３は強度を保つため、多少肉圧に形成することによるプラスチック成形上のひけが生じても、外観上は外側ケース２が外方をカバーするので何ら問題はない。
一方、外側ケース２は強度的には必ずしも絶対的な要求はなく、むしろ外観的に好ましいものが要求されので、外装処理的に有利な材料を使用し、形状的にも自由度をもって容易に要求に応じられ得る。
【００１８】
図３は、本発明のトロイダルトランス用ケースの異なる形態の組立体の概略斜視図であるが、この場合の外側ケース３２は円柱状に形成され、内側ケース３３も同様に円柱状に形成されている。
【００１９】
なお、上述実施の形態において述べた材料、形状はこれらに限定されるものではなく、特性上好ましい材料であれば他のものでもよく、形状も、要求により異なる他の形状となしうるのは勿論である。又、トロイダルトランス本体の二次捲線も複数回路設けられ、それに伴う他の複数の端子が設けられていてもよい。
【００２０】
【発明の効果】
以上のように、本発明によれば、オーディオ機器に用いるトロイダルトランスのカバーが、異なるプラスチック材料により二重のケースとして形成され、内側ケースは技術的要求を満足する材質、外側ケースは外観上適した或いは外観処理をし易い材質のものとし、内部的に内側ケースとトランス本体の充填材との相性をよいものとして、ケース壁部と充填材との密着性を良好に保たせ得るので、相互間に間隙が生じることがなく、がたつきによる異音や、共振による異音の発生を防止することが出来、クリアサウンドを追求するオーディオ機器として極めて好ましい。
又、外面的に外観上好ましい形状、状態にすることが極めて容易であり、内部部品としてもオーディオ機器の製品価値を上げることが出来る。
さらに、プラスチック製のケースなので、製品の軽量化においても有利である。
【図面の簡単な説明】
【図１】本発明の実施の形態の一例を示した分解斜視図
【図２】上記図１の実施形態の組立て状態におけるＩＩ−ＩＩ線断面図
【図３】本発明の他の実施形態の組立て状態の斜視図
【図４】従来のトロイダルトランスの一部を破断して示した斜視図
【符号の説明】
１    トロイダルトランス
２    外側ケース
２ａ  フィン
３    内側ケース
４    トロイダルトランス本体
５    プラスチック充填材
３２  外側ケース
３３  内側ケース
４２  アルミケース
４５  充填材
【図１】
0003680214.tif 000002
【図２】
0003680214.tif 000003
【図３】
0003680214.tif 000004
【図４】
0003680214.tif 000005